(57)【要約】【課題】低背化が図られ、容易に基板へ内蔵することが可能な積層コンデンサアレイを提供すること。【解決手段】第一端子電極５は、第一側面２ｃに配置され且つ複数の第一内部電極に接続される電極部分５ｂと、第一主面２ａに配置された電極部分５ａと、を有する。第二端子電極６は、第二側面２ｄに配置され且つ複数の第二内部電極に接続される電極部分６ｂと、第一主面２ａに配置された電極部分６ａと、を有する。第三端子電極７は、第一側面２ｃに配置され且つ複数の第三内部電極に接続される電極部分７ｂと、第一主面２ａに配置された電極部分７ａと、を有する。第四端子電極８は、第二側面２ｄに配置され且つ複数の第四内部電極に接続される電極部分８ｂと、第一主面２ａに配置された電極部分８ａと、を有する。電極部分５ａ〜８ａは、第一主面２ａにおいて、素体２の長手方向に並んで位置している。【選択図】図１
2014207407.tif 000002
【特許請求の範囲】
【請求項１】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に交互に配置されたそれぞれ複数の第一及び第二内部電極を含む第一内部電極群と、
前記高さ方向で互いに対向するように前記素体内に交互に配置されたそれぞれ複数の第三及び第四内部電極を含み、前記第一内部電極群と前記長手方向に並置された第二内部電極群と、
前記素体の外表面に配置され、前記複数の第一内部電極と接続される第一端子電極と、
前記素体の外表面に配置され、前記複数の第二内部電極と接続される第二端子電極と、
前記素体の外表面に配置され、前記複数の第三内部電極と接続される第三端子電極と、
前記素体の外表面に配置され、前記複数の第四内部電極と接続される第四端子電極と、を備え、
前記複数の第一内部電極は、主電極部と、該主電極部から延びて前記第一側面に露出する引出部と、を有し、
前記複数の第二内部電極は、前記第一内部電極の前記主電極部と前記高さ方向で対向する主電極部と、該主電極部から延びて前記第二側面に露出する引出部と、を有し、
前記複数の第三内部電極は、主電極部と、該主電極部から延びて前記第一側面に露出する引出部と、を有し、
前記複数の第四内部電極は、前記第三内部電極の前記主電極部と前記高さ方向で対向する主電極部と、該主電極部から延びて前記第二側面に露出する引出部と、を有し、
前記第一端子電極は、前記第一側面に配置され且つ前記複数の第一内部電極の前記引出部に接続される電極部分と、前記第一主面に配置され且つ前記第一側面側から前記第二側面側に向かって延びる電極部分と、を有し、
前記第二端子電極は、前記第二側面に配置され且つ前記複数の第二内部電極の前記引出部に接続される電極部分と、前記第一主面に配置され且つ前記第二側面側から前記第一側面側に向かって延びる電極部分と、を有し、
前記第三端子電極は、前記第一側面に配置され且つ前記複数の第三内部電極の前記引出部に接続される電極部分と、前記第一主面に配置され且つ前記第一側面側から前記第二側面側に向かって延びる電極部分と、を有し、
前記第四端子電極は、前記第二側面に配置され且つ前記複数の第四内部電極の前記引出部に接続される電極部分と、前記第一主面に配置され且つ前記第二側面側から前記第一側面側に向かって延びる電極部分と、を有し、
前記第一及び第二端子電極の、前記第一主面に配置された前記電極部分は、前記第一主面において前記長手方向に並んで位置し、
前記第三及び第四端子電極の、前記第一主面に配置された前記電極部分は、前記第一主面において前記長手方向に並んで位置していることを特徴とする積層コンデンサアレイ。
【請求項２】
前記第一及び第二内部電極と前記第三及び第四内部電極とは、前記高さ方向で互いに対向していないことを特徴とする請求項１に記載の積層コンデンサアレイ。
【請求項３】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に交互に配置されたそれぞれ複数の第一及び第二内部電極を含む第一内部電極群と、
前記高さ方向で互いに対向するように前記素体内に交互に配置されたそれぞれ複数の第三及び第四内部電極を含み、前記第一内部電極群と前記長手方向に並置された第二内部電極群と、
前記素体の外表面に配置され、前記複数の第一内部電極と接続される第一端子電極と、
前記素体の外表面に配置され、前記複数の第二内部電極と接続される第二端子電極と、
前記素体の外表面に配置され、前記複数の第三内部電極と接続される第三端子電極と、
前記素体の外表面に配置され、前記複数の第四内部電極と接続される第四端子電極と、を備え、
前記複数の第一内部電極は、主電極部と、該主電極部から延びて前記第一側面に露出する引出部と、を有し、
前記複数の第二内部電極は、前記第一内部電極の前記主電極部と前記高さ方向で対向する主電極部と、該主電極部から延びて前記第二側面に露出する引出部と、を有し、
前記複数の第三内部電極は、主電極部と、該主電極部から延びて前記第一側面に露出する引出部と、を有し、
前記複数の第四内部電極は、前記第三内部電極の前記主電極部と前記高さ方向で対向する主電極部と、該主電極部から延びて前記第二側面に露出する引出部と、を有し、
前記第一端子電極は、前記第一側面に配置され且つ前記複数の第一内部電極の前記引出部に接続される電極部分と、前記第一主面に配置され且つ前記第一側面側から前記第二側面側に向かって延びる電極部分と、を有し、
前記第二端子電極は、前記第二側面に配置され且つ前記複数の第二内部電極の前記引出部に接続される電極部分と、前記第二主面に配置され且つ前記第二側面側から前記第一側面側に向かって延びる電極部分と、を有し、
前記第三端子電極は、前記第一側面に配置され且つ前記複数の第三内部電極の前記引出部に接続される電極部分と、前記第一又は第二主面に配置され且つ前記第一側面側から前記第二側面側に向かって延びる電極部分と、を有し、
前記第四端子電極は、前記第二側面に配置され且つ前記複数の第四内部電極の前記引出部に接続される電極部分と、前記第一及び第二主面のうち前記第三端子電極が配置されていない主面に配置され且つ前記第二側面側から前記第一側面側に向かって延びる電極部分と、を有し、
前記第一端子電極と前記第三又は第四端子電極との、前記第一主面に配置された前記電極部分は、前記第一主面において前記長手方向に並んで位置し、
前記第二端子電極と前記第三又は第四端子電極との、前記第二主面に配置された前記電極部分は、前記第二主面において前記長手方向に並んで位置していることを特徴とする積層コンデンサアレイ。
【請求項４】
前記第一及び第二内部電極と前記第三及び第四内部電極とは、前記高さ方向で互いに対向していないことを特徴とする請求項３に記載の積層コンデンサアレイ。
【請求項５】
前記第一及び第二内部電極群のうち少なくともいずれか一方の数が複数であり、
すべての前記第一及び第二内部電極群は、前記長手方向に並置されており、
各前記第一内部電極群に対応して、前記第一及び第二端子電極が配置され、
各前記第二内部電極群に対応して、前記第三及び第四端子電極が配置されていることを特徴とする請求項３又は４に記載の積層コンデンサアレイ。
【発明の詳細な説明】
【技術分野】
【０００１】
本発明は、積層コンデンサアレイに関する。
【背景技術】
【０００２】
積層コンデンサアレイとして、略直方体形状を呈すると共に、互いに対向する第一及び第二主面と、第一及び第二主面を連結するように第一及び第二主面の対向方向に延びる第一〜第四側面と、を有する素体と、上記対向方向で互いに対向するように素体内に交互に配置されたそれぞれ複数の第一及び第二内部電極を有する第一内部電極群と、上記対向方向で互いに対向するように素体内に交互に配置されたそれぞれ複数の第三及び第四内部電極を有し、第一内部電極群と素体の長手方向に並置された第二内部電極群と、素体の外表面に配置され、複数の第一内部電極と接続される第一端子電極と、素体の外表面に配置され、複数の第二内部電極と接続される第二端子電極と、素体の外表面に配置され、複数の第三内部電極と接続される第三端子電極と、素体の外表面に配置され、複数の第四内部電極と接続される第四端子電極と、を備えたものが知られている（たとえば、特許文献１参照）。
【先行技術文献】
【特許文献】
【０００３】
【特許文献１】特開平１１−０２６２９１号公報
【発明の概要】
【発明が解決しようとする課題】
【０００４】
近年、情報端末機器などの電子機器では、小型化及び薄型化が進んでいる。それに伴って、電子機器に搭載される基板や基板に搭載される電子部品においても、小型化が進んでおり、高密度実装化も進んでいる。更なる小型化を図るために、基板内に電子部品が埋め込まれている、電子部品内蔵基板も開発されてきている。電子部品内蔵基板では、基板の内部に電子部品が埋め込まれて実装されている。基板に形成された配線と埋め込まれている電子部品とは、確実に、電気的に接続される必要がある。しかしながら、特許文献１に記載された積層コンデンサアレイでは、基板への埋め込み（基板への内蔵）、及び、基板に形成された配線との電気的な接続については考慮されていない。
【０００５】
本発明は、低背化が図られ、容易に基板へ内蔵することが可能な積層コンデンサアレイを提供することを目的とする。
【課題を解決するための手段】
【０００６】
本発明に係る積層コンデンサアレイは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に交互に配置されたそれぞれ複数の第一及び第二内部電極を含む第一内部電極群と、上記高さ方向で互いに対向するように素体内に交互に配置されたそれぞれ複数の第三及び第四内部電極を含み、第一内部電極群と上記長手方向に並置された第二内部電極群と、素体の外表面に配置され、複数の第一内部電極と接続される第一端子電極と、素体の外表面に配置され、複数の第二内部電極と接続される第二端子電極と、素体の外表面に配置され、複数の第三内部電極と接続される第三端子電極と、素体の外表面に配置され、複数の第四内部電極と接続される第四端子電極と、を備え、複数の第一内部電極は、主電極部と、該主電極部から延びて第一側面に露出する引出部と、を有し、複数の第二内部電極は、第一内部電極の主電極部と上記高さ方向で対向する主電極部と、該主電極部から延びて第二側面に露出する引出部と、を有し、複数の第三内部電極は、主電極部と、該主電極部から延びて第一側面に露出する引出部と、を有し、複数の第四内部電極は、第三内部電極の主電極部と上記高さ方向で対向する主電極部と、該主電極部から延びて第二側面に露出する引出部と、を有し、第一端子電極は、第一側面に配置され且つ複数の第一内部電極の引出部に接続される電極部分と、第一主面に配置され且つ第一側面側から第二側面側に向かって延びる電極部分と、を有し、第二端子電極は、第二側面に配置され且つ複数の第二内部電極の引出部に接続される電極部分と、第一主面に配置され且つ第二側面側から第一側面側に向かって延びる電極部分と、を有し、第三端子電極は、第一側面に配置され且つ複数の第三内部電極の引出部に接続される電極部分と、第一主面に配置され且つ第一側面側から第二側面側に向かって延びる電極部分と、を有し、第四端子電極は、第二側面に配置され且つ複数の第四内部電極の引出部に接続される電極部分と、第一主面に配置され且つ第二側面側から第一側面側に向かって延びる電極部分と、を有し、第一及び第二端子電極の、第一主面に配置された電極部分は、第一主面において上記長手方向に並んで位置し、第三及び第四端子電極の、第一主面に配置された電極部分は、第一主面において上記長手方向に並んで位置していることを特徴とする。
【０００７】
本発明に係る積層コンデンサアレイでは、長手方向の長さ及び幅方向の長さに比して高さ方向の長さが小さく、低背化が図られている。第一〜第四端子電極は、素体の第一主面に配置された電極部分をそれぞれ有している。したがって、本発明に係る積層コンデンサアレイは、素体の第一主面側において、基板に形成された配線と電気的に接続可能となり、容易に基板へ内蔵することができる。
【０００８】
第一及び第二端子電極の、第一主面に配置された電極部分は、第一主面において上記長手方向に並んで位置すると共に上記幅方向に延びているため、当該各電極部分の面積を大きく設定することができる。このため、基板の配線との接続性が向上する。第三及び第四端子電極の、第一主面に配置された電極部分は、第一主面において上記長手方向に並んで位置すると共に上記幅方向に延びているため、当該各電極部分の面積を大きく設定することができる。このため、基板の配線との接続性が向上する。
【０００９】
第一及び第二内部電極と第三及び第四内部電極とは、上記高さ方向で互いに対向していなくてもよい。この場合、第一内部電極群により形成される容量成分と、第二内部電極群により形成される容量成分と、の間に発生するクロストークを低減することができる。
【００１０】
本発明に係る積層コンデンサアレイは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に交互に配置されたそれぞれ複数の第一及び第二内部電極を含む第一内部電極群と、上記高さ方向で互いに対向するように素体内に交互に配置されたそれぞれ複数の第三及び第四内部電極を含み、第一内部電極群と上記長手方向に並置された第二内部電極群と、素体の外表面に配置され、複数の第一内部電極と接続される第一端子電極と、素体の外表面に配置され、複数の第二内部電極と接続される第二端子電極と、素体の外表面に配置され、複数の第三内部電極と接続される第三端子電極と、素体の外表面に配置され、複数の第四内部電極と接続される第四端子電極と、を備え、複数の第一内部電極は、主電極部と、該主電極部から延びて第一側面に露出する引出部と、を有し、複数の第二内部電極は、第一内部電極の主電極部と上記高さ方向で対向する主電極部と、該主電極部から延びて第二側面に露出する引出部と、を有し、複数の第三内部電極は、主電極部と、該主電極部から延びて第一側面に露出する引出部と、を有し、複数の第四内部電極は、第三内部電極の主電極部と上記高さ方向で対向する主電極部と、該主電極部から延びて第二側面に露出する引出部と、を有し、第一端子電極は、第一側面に配置され且つ複数の第一内部電極の引出部に接続される電極部分と、第一主面に配置され且つ第一側面側から第二側面側に向かって延びる電極部分と、を有し、第二端子電極は、第二側面に配置され且つ複数の第二内部電極の引出部に接続される電極部分と、第二主面に配置され且つ第二側面側から第一側面側に向かって延びる電極部分と、を有し、第三端子電極は、第一側面に配置され且つ複数の第三内部電極の引出部に接続される電極部分と、第一又は第二主面に配置され且つ第一側面側から第二側面側に向かって延びる電極部分と、を有し、第四端子電極は、第二側面に配置され且つ複数の第四内部電極の引出部に接続される電極部分と、第一及び第二主面のうち第三端子電極が配置されていない主面に配置され且つ第二側面側から第一側面側に向かって延びる電極部分と、を有し、第一端子電極と第三又は第四端子電極との、第一主面に配置された電極部分は、第一主面において上記長手方向に並んで位置し、第二端子電極と第三又は第四端子電極との、第二主面に配置された電極部分は、第二主面において上記長手方向に並んで位置していることを特徴とする。
【００１１】
本発明に係る積層コンデンサアレイでは、長手方向の長さ及び幅方向の長さに比して高さ方向の長さが小さく、低背化が図られている。第一端子電極は、素体の第一主面に配置された電極部分を有し、第二端子電極は、素体の第二主面に配置された電極部分を有している。第三及び第四端子電極も、素体の第一又は第二主面に配置された電極部分を有している。したがって、本発明に係る積層コンデンサアレイは、素体の第一及び第二主面側において、基板に形成された配線と電気的に接続可能となり、容易に基板へ内蔵することができる。
【００１２】
第一端子電極と第三又は第四端子電極との、第一主面に配置された電極部分は、第一主面において上記長手方向に並んで位置すると共に上記幅方向に延びているため、当該各電極部分の面積を大きく設定することができる。このため、第一主面側において、基板の配線との接続性が向上する。第二端子電極と第三又は第四端子電極との、第二主面に配置された電極部分は、第二主面において上記長手方向に並んで位置すると共に上記幅方向に延びているため、当該各電極部分の面積を大きく設定することができる。このため、第二主面側において、基板の配線との接続性が向上する。
【００１３】
第一及び第二内部電極と第三及び第四内部電極とは、上記高さ方向で互いに対向していなくてもよい。この場合、第一内部電極群により形成される容量成分と、第二内部電極群により形成される容量成分と、の間に発生するクロストークを低減することができる。
【００１４】
第一及び第二内部電極群のうち少なくともいずれか一方の数が複数であり、すべての第一及び第二内部電極群は、前記長手方向に並置されており、各第一内部電極群に対応して、第一及び第二端子電極が配置され、各第二内部電極群に対応して、第三及び第四端子電極が配置されていてもよい。この場合、３つ以上の容量成分が形成された積層コンデンサアレイを更に実現できる。
【発明の効果】
【００１５】
本発明によれば、低背化が図られ、容易に基板へ内蔵することが可能な積層コンデンサアレイを提供することができる。
【図面の簡単な説明】
【００１６】
【図１】本実施形態に係る積層コンデンサアレイを示す斜視図である。
【図２】図１におけるII−II線に沿った断面構成を説明するための図である。
【図３】本実施形態に係る積層コンデンサアレイの、第一内部電極群を含む断面構成を説明するための図である。
【図４】本実施形態に係る積層コンデンサアレイの、第二内部電極群を含む断面構成を説明するための図である。
【図５】第一及び第二内部電極を示す平面図である。
【図６】本実施形態に係る積層コンデンサアレイの実装構造を説明するための図である。
【図７】本実施形態の変形例に係る積層コンデンサアレイを示す斜視図である。
【図８】本実施形態の変形例に係る積層コンデンサアレイを示す斜視図である。
【図９】図８におけるIX−IX線に沿った断面構成を説明するための図である。
【図１０】本実施形態の変形例に係る積層コンデンサアレイの、第一内部電極群を含む断面構成を説明するための図である。
【図１１】本実施形態の変形例に係る積層コンデンサアレイの、第二内部電極群を含む断面構成を説明するための図である。
【図１２】本実施形態の変形例に係る積層コンデンサアレイの実装構造を説明するための図である。
【図１３】本実施形態の変形例に係る積層コンデンサアレイを示す斜視図である。
【図１４】図１３におけるXIV−XIV線に沿った断面構成を説明するための図である。
【図１５】本実施形態の変形例に係る積層コンデンサアレイの、第二内部電極群を含む断面構成を説明するための図である。
【図１６】本実施形態の変形例に係る積層コンデンサアレイを示す斜視図である。
【図１７】図１６におけるXVII−XVII線に沿った断面構成を説明するための図である。
【図１８】第一及び第二内部電極を示す平面図である。
【図１９】本実施形態の変形例に係る積層コンデンサアレイを示す斜視図である。
【図２０】図１９におけるXX−XX線に沿った断面構成を説明するための図である。
【図２１】第一及び第二内部電極の変形例を示す平面図である。
【図２２】第一及び第二内部電極の変形例を示す平面図である。
【図２３】更なる変形例に係る積層コンデンサアレイを示す斜視図である。
【発明を実施するための形態】
【００１７】
以下、添付図面を参照して、本発明の好適な実施形態について詳細に説明する。なお、説明において、同一要素又は同一機能を有する要素には、同一符号を用いることとし、重複する説明は省略する。
【００１８】
図１〜図４を参照して、本実施形態に係る積層コンデンサアレイＣ１の構成を説明する。図１は、本実施形態に係る積層コンデンサアレイを示す斜視図である。図２は、図１におけるII−II線に沿った断面構成を説明するための図である。図３は、第一内部電極群を含む断面構成を説明するための図である。図４は、第二内部電極群を含む断面構成を説明するための図である。
【００１９】
積層コンデンサアレイＣ１は、図１〜図４に示されるように、素体２と、素体２の外表面に配置される第一〜第四端子電極５，６，７，８と、を備えている。第一〜第四端子電極５，６，７，８は、それぞれ離間している。
【００２０】
素体２は、略直方体形状を呈している。素体２は、その外表面として、互いに対向する略長方形状の第一及び第二主面２ａ，２ｂと、互いに対向する第一及び第二側面２ｃ，２ｄと、互いに対向する第三及び第四側面２ｅ，２ｆと、を有している。素体２の長手方向は、第三側面２ｅと第四側面２ｆとの対向方向である。素体２の幅方向は、第一側面２ｃと第二側面２ｄとの対向方向である。素体２の高さ方向は、第一主面２ａと第二主面２ｂとの対向方向である。
【００２１】
素体２は、長手方向の長さ（Ｌ）と幅方向の長さ（Ｗ）とに比して、高さ方向の長さ（Ｈ）が小さく設定されている。長手方向の長さ（Ｌ）は、たとえば、０．６〜３．２ｍｍ程度に設定される。幅方向の長さ（Ｗ）は、たとえば、０．３〜２．４ｍｍ程度に設定される。高さ方向の長さ（Ｈ）は、たとえば、０．２〜２．２ｍｍ程度に設定される。積層コンデンサアレイＣ１は、超低背型の積層コンデンサアレイである。
【００２２】
第一及び第二側面２ｃ，２ｄは、第一及び第二主面２ａ，２ｂの間を連結するように第一主面２ａと第二主面２ｂとの対向方向に延びている。第一及び第二側面２ｃ，２ｄは、第三側面２ｅと第四側面２ｆとの対向方向（第一及び第二主面２ａ，２ｂの長辺方向）にも延びている。第三及び第四側面２ｅ，２ｆは、第一及び第二主面２ａ，２ｂの間を連結するように第一主面２ａと第二主面２ｂとの対向方向に延びている。第三及び第四側面２ｅ，２ｆは、第一側面２ｃと第二側面２ｄとの対向方向（第一及び第二主面２ａ，２ｂの短辺方向）にも延びている。
【００２３】
素体２は、第一主面２ａと第二主面２ｂとの対向方向（素体２の高さ方向）に複数の誘電体層が積層されて構成されている。素体２では、複数の誘電体層の積層方向（以下、単に「積層方向」と称する。）が第一主面２ａと第二主面２ｂとの対向方向と一致する。各誘電体層は、例えば誘電体材料（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成される。実際の素体２では、各誘電体層は、各誘電体層の間の境界が視認できない程度に一体化されている。
【００２４】
積層コンデンサアレイＣ１は、第一内部電極群１０と、第二内部電極群１４と、を備えている。第一内部電極群１０と第二内部電極群１４とは、素体２内で、素体２の長手方向に並置されている。第一内部電極群１０は、第三側面２ｅ寄りに位置し、第二内部電極群１４は、第四側面２ｆ寄りに位置している。第一内部電極群１０は、複数の第一内部電極１１と複数の第二内部電極１３とを含んでいる。第二内部電極群１４は、複数の第三内部電極１５と複数の第四内部電極１７とを含んでいる。
【００２５】
第一内部電極１１と第二内部電極１３とは、素体２の高さ方向において異なる位置（層）に配置されている。すなわち、第一内部電極１１と第二内部電極１３とは、素体２内において、素体２の高さ方向に間隔を有して対向するように交互に配置されている。第一内部電極１１と第二内部電極１３とは、互いに極性が異なる。
【００２６】
各第一内部電極１１は、図５の（ａ）に示されるように、主電極部１１ａと、引出部１１ｂと、を含んでいる。引出部１１ｂは、主電極部１１ａの一辺から延び、第一側面２ｃに露出している。第一内部電極１１は、第一側面２ｃに露出し、第一及び第二主面２ａ，２ｂ、並びに、第二〜第四側面２ｄ，２ｅ，２ｆには露出していない。主電極部１１ａは、矩形形状を呈している。引出部１１ｂの、素体２の長手方向の長さは、主電極部１１ａの、素体２の長手方向の長さよりも小さく設定されている。引出部１１ｂは、その端が第一側面２ｃに露出し、当該露出した端部で第一端子電極５に接続されている。主電極部１１ａと、引出部１１ｂとは、一体的に形成されている。
【００２７】
各第二内部電極１３は、図５の（ｂ）に示されるように、主電極部１３ａと、引出部１３ｂと、を含んでいる。主電極部１３ａは、第一主面２ａと第二主面２ｂとの対向方向（素体２の高さ方向）で、主電極部１１ａと対向している。引出部１３ｂは、主電極部１３ａの一辺から延び、第二側面２ｄに露出している。第二内部電極１３は、第二側面２ｄに露出し、第一及び第二主面２ａ，２ｂ、並びに、第一、第三、及び第四側面２ｃ，２ｅ，２ｆには露出していない。主電極部１３ａは、矩形形状を呈している。引出部１３ｂの、素体２の長手方向の長さは、主電極部１３ａの、素体２の長手方向の長さよりも小さく設定されている。引出部１３ｂは、その端が第二側面２ｄに露出し、当該露出した端部で第二端子電極６に接続されている。主電極部１３ａと、引出部１３ｂとは、一体的に形成されている。
【００２８】
第三内部電極１５と第四内部電極１７とは、素体２の高さ方向において異なる位置（層）に配置されている。すなわち、第三内部電極１５と第四内部電極１７とは、素体２内において、素体２の高さ方向に間隔を有して対向するように交互に配置されている。第三内部電極１５と第四内部電極１７とは、互いに極性が異なる。
【００２９】
本実施形態では、第一内部電極１１と第三内部電極１５とは、素体２の高さ方向において同じ位置（層）に配置されている。すなわち、第一内部電極１１と第三内部電極１５とは、素体２の高さ方向で互いに対向していない。第二内部電極１３と第四内部電極１７とは、素体２の高さ方向において同じ位置（層）に配置されている。すなわち、第二内部電極１３と第四内部電極１７とは、素体２の高さ方向で互いに対向していない。
【００３０】
各第三内部電極１５は、図５の（ａ）に示されるように、主電極部１５ａと、引出部１５ｂと、を含んでいる。引出部１５ｂは、主電極部１５ａの一辺から延び、第一側面２ｃに露出している。第三内部電極１５は、第一側面２ｃに露出し、第一及び第二主面２ａ，２ｂ、並びに、第二〜第四側面２ｄ，２ｅ，２ｆには露出していない。主電極部１５ａは、矩形形状を呈している。引出部１５ｂの、素体２の長手方向の長さは、主電極部１５ａの、素体２の長手方向の長さよりも小さく設定されている。引出部１５ｂは、その端が第一側面２ｃに露出し、当該露出した端部で第三端子電極７に接続されている。主電極部１５ａと、引出部１５ｂとは、一体的に形成されている。
【００３１】
各第四内部電極１７は、図５の（ｂ）に示されるように、主電極部１７ａと、引出部１７ｂと、を含んでいる。主電極部１７ａは、第一主面２ａと第二主面２ｂとの対向方向（素体２の高さ方向）で、主電極部１５ａと対向している。引出部１７ｂは、主電極部１７ａの一辺から延び、第二側面２ｄに露出している。第四内部電極１７は、第二側面２ｄに露出し、第一及び第二主面２ａ，２ｂ、並びに、第一、第三、及び第四側面２ｃ，２ｅ，２ｆには露出していない。主電極部１７ａは、矩形形状を呈している。引出部１７ｂの、素体２の長手方向の長さは、主電極部１７ａの、素体２の長手方向の長さよりも小さく設定されている。引出部１７ｂは、その端が第二側面２ｄに露出し、当該露出した端部で第四端子電極８に接続されている。主電極部１７ａと、引出部１７ｂとは、一体的に形成されている。
【００３２】
第一〜第四内部電極１１，１３，１５，１７は、積層型の電気素子の内部電極として通常用いられる導電性材料（たとえば、Ｎｉ又はＣｕなど）からなる。第一〜第四内部電極１１，１３，１５，１７は、上記導電性材料を含む導電性ペーストの焼結体として構成される。
【００３３】
第一端子電極５は、第一主面２ａに配置される電極部分５ａと、第一側面２ｃに配置される電極部分５ｂと、を有している。電極部分５ａと電極部分５ｂとは、素体２の稜線部分において接続されており、互いに電気的に接続されている。第一端子電極５は、第一主面２ａと第一側面２ｃとにわたって形成されている。
【００３４】
電極部分５ａは、平面視で、略矩形状を呈している。電極部分５ａは、第一主面２ａにおける、第一側面２ｃ寄りの端部側から第二側面２ｄ寄りの端部側に向けて延びるように形成されている。電極部分５ａの素体２の幅方向での長さは、素体２の幅方向での長さよりも小さく設定されている。
【００３５】
電極部分５ｂは、第一側面２ｃの、素体２の長手方向での中央よりも、第三側面２ｅ寄りに位置している。すなわち、電極部分５ｂは、第三側面２ｅ側に位置している。電極部分５ｂは、平面視で、略矩形状を呈している。電極部分５ｂは、各引出部１１ｂの第一側面２ｃに露出した部分をすべて覆うように配置されており、引出部１１ｂは、第一端子電極５に直接的に接続される。これにより、各第一内部電極１１は、第一端子電極５に電気的に接続される。電極部分５ａの素体２の長手方向での長さは、電極部分５ｂの素体２の長手方向での長さよりも小さく設定されている。
【００３６】
第二端子電極６は、第一主面２ａに配置される電極部分６ａと、第二側面２ｄに配置される電極部分６ｂと、を有している。電極部分６ａと電極部分６ｂとは、素体２の稜線部分において接続されており、互いに電気的に接続されている。第二端子電極６は、第一主面２ａと第二側面２ｄとにわたって形成されている。
【００３７】
電極部分６ａは、平面視で、略矩形状を呈している。電極部分６ａは、第一主面２ａにおける、第二側面２ｄ寄りの端部側から第一側面２ｃ寄りの端部側に向けて延びるように形成されている。電極部分６ａの素体２の幅方向での長さは、素体２の幅方向での長さよりも小さく設定されている。
【００３８】
電極部分６ｂは、第二側面２ｄの、素体２の長手方向での中央よりも、第三側面２ｅ寄りに位置している。すなわち、電極部分６ｂは、第三側面２ｅ側に位置している。電極部分６ｂは、平面視で、略矩形状を呈している。電極部分６ｂは、各引出部１３ｂの第二側面２ｄに露出した部分をすべて覆うように配置されており、引出部１３ｂは、第二端子電極６に直接的に接続される。これにより、各第二内部電極１３は、第二端子電極６に電気的に接続される。電極部分６ａの素体２の長手方向での長さは、電極部分６ｂの素体２の長手方向での長さよりも小さく設定されている。
【００３９】
第三端子電極７は、第一主面２ａに配置される電極部分７ａと、第一側面２ｃに配置される電極部分７ｂと、を有している。電極部分７ａと電極部分７ｂとは、素体２の稜線部分において接続されており、互いに電気的に接続されている。第三端子電極７は、第一主面２ａと第一側面２ｃとにわたって形成されている。
【００４０】
電極部分７ａは、平面視で、略矩形状を呈している。電極部分７ａは、第一主面２ａにおける、第一側面２ｃ寄りの端部側から第二側面２ｄ寄りの端部側に向けて延びるように形成されている。電極部分７ａの素体２の幅方向での長さは、素体２の幅方向での長さよりも小さく設定されている。
【００４１】
電極部分７ｂは、第一側面２ｃの、素体２の長手方向での中央よりも、第四側面２ｆ寄りに位置している。すなわち、電極部分７ｂは、第四側面２ｆ側に位置している。電極部分７ｂは、平面視で、略矩形状を呈している。電極部分７ｂは、各引出部１５ｂの第一側面２ｃに露出した部分をすべて覆うように配置されており、引出部１５ｂは、第三端子電極７に直接的に接続される。これにより、各第三内部電極１５は、第三端子電極７に電気的に接続される。電極部分７ａの素体２の長手方向での長さは、電極部分７ｂの素体２の長手方向での長さよりも小さく設定されている。
【００４２】
第四端子電極８は、第一主面２ａに配置される電極部分８ａと、第二側面２ｄに配置される電極部分８ｂと、を有している。電極部分８ａと電極部分８ｂとは、素体２の稜線部分において接続されており、互いに電気的に接続されている。第四端子電極８は、第一主面２ａと第二側面２ｄとにわたって形成されている。
【００４３】
電極部分８ａは、平面視で、略矩形状を呈している。電極部分８ａは、第一主面２ａにおける、第二側面２ｄ寄りの端部側から第一側面２ｃ寄りの端部側に向けて延びるように形成されている。電極部分８ａの素体２の幅方向での長さは、素体２の幅方向での長さよりも小さく設定されている。
【００４４】
電極部分８ｂは、第二側面２ｄの、素体２の長手方向での中央よりも、第四側面２ｆ寄りに位置している。すなわち、電極部分８ｂは、第四側面２ｆ側に位置している。電極部分８ｂは、平面視で、略矩形状を呈している。電極部分８ｂは、各引出部１７ｂの第二側面２ｄに露出した部分をすべて覆うように配置されており、引出部１７ｂは、第四端子電極８に直接的に接続される。これにより、各第四内部電極１７は、第四端子電極８に電気的に接続される。電極部分８ａの素体２の長手方向での長さは、電極部分８ｂの素体２の長手方向での長さよりも小さく設定されている。
【００４５】
第一端子電極５の電極部分５ａと第二端子電極６の電極部分６ａと第三端子電極７の電極部分７ａと第四端子電極８の電極部分８ａとは、素体２の長手方向で離間している。電極部分５ａ〜８ａは、第一主面２ａにおいて、第三側面２ｅから第四側面２ｆに向かう方向で、電極部分５ａ、電極部分６ａ、電極部分７ａ、電極部分８ａの順で配置されている。すなわち、電極部分５ａ〜８ａは、第一主面２ａ上において、素体２の長手方向で並んで位置している。電極部分５ａが第三側面２ｅ寄りに位置し、電極部分８ａが第四側面２ｆ寄りに位置している。
【００４６】
電極部分５ａと電極部分６ａとは、素体２の長手方向から見て、互いに重なる領域を有している。電極部分７ａと電極部分８ａとは、素体２の長手方向から見て、互いに重なる領域を有している。電極部分６ａと電極部分７ａとも、素体２の長手方向から見て、互いに重なる領域を有している。電極部分５ａと電極部分６ａとの、素体２の長手方向での間隔は、電極部分６ａと電極部分７ａとの、素体２の長手方向での間隔よりも小さく設定されている。電極部分７ａと電極部分８ａとの、素体２の長手方向での間隔も、電極部分６ａと電極部分７ａとの、素体２の長手方向での間隔よりも小さく設定されている。
【００４７】
素体２の第二主面２ｂ、第三側面２ｅ、及び第四側面２ｆには、端子電極５〜８は配置されていない。このため、素体２の第二主面２ｂ、第三側面２ｅ、及び第四側面２ｆは、露出している。
【００４８】
第一〜第四端子電極５〜８は、第一電極層２１と第二電極層２３とをそれぞれ含んでする。すなわち、電極部分５ａ，５ｂと電極部分６ａ，６ｂと電極部分７ａ，７ｂと電極部分８ａ，８ｂとが、第一電極層２１と第二電極層２３とをそれぞれ含んでいる。
【００４９】
第一電極層２１は、導電性ペーストを素体２の表面に付与して焼き付けることにより形成されている。すなわち、第一電極層２１は、焼付電極層である。導電性ペーストには、金属（たとえば、Ｃｕ、Ｎｉ、Ａｇ、又はＰｄなど）からなる粉末に、ガラス成分、有機バインダ、及び有機溶剤を混合したものが用いられている。
【００５０】
第二電極層２３は、第一電極層２１上にめっき法により形成されている。本実施形態において、第二電極層２３は、第一電極層２１上にＮｉめっきにより形成されたＮｉめっき層と、当該Ｎｉめっき層上にＳｎめっきにより形成されたＳｎめっき層とを含んでいる。第二電極層２３は、第一電極層２１上にＣｕめっきにより形成されたＣｕめっき層であってもよい。第二電極層２３は、省略してもよい。
【００５１】
以上のように、本実施形態では、素体２における、長手方向の長さ及び幅方向の長さに比して高さ方向の長さが小さく設定されており、積層コンデンサアレイＣ１の低背化が図られている。第一〜第四端子電極５〜８は、素体２の第一主面２ａに配置された電極部分５ａ〜８ａをそれぞれ有している。したがって、積層コンデンサアレイＣ１は、素体２の第一主面２ａ側において、基板に形成された配線と電気的に接続可能となり、容易に基板へ内蔵することができる。
【００５２】
第一及び第二端子電極５，６の、第一主面２ａに配置された電極部分５ａ，６ａは、第一主面２ａにおいて、素体２の長手方向に並んで位置すると共に素体２の幅方向に延びているため、各電極部分５ａ，６ａの面積を大きく設定することができる。したがって、第一及び第二端子電極５，６と基板の配線との接続性が向上する。第三及び第四端子電極７，８の、第一主面２ａに配置された電極部分７ａ，８ａは、第一主面２ａにおいて、素体２の長手方向に並んで位置すると共に素体２の幅方向に延びているため、各電極部分７ａ，８ａの面積を大きく設定することができる。このため、第三及び第四端子電極７，８と基板の配線との接続性が向上する。
【００５３】
第一及び第二内部電極１１，１３と第三及び第四内部電極１５，１７とは、素体２の高さ方向で互いに対向していない。これにより、第一内部電極群１０により形成される容量成分と、第二内部電極群１４により形成される容量成分と、の間に発生するクロストークを低減することができる。
【００５４】
積層コンデンサアレイＣ１では、素体２の第三及び第四側面２ｅ，２ｆが露出しており、これらの第三及び第四側面２ｅ，２ｆには、端子電極５〜８が配置されない。したがって、積層コンデンサアレイＣ１の、素体２の長手方向での長さが増加することはない。素体２の第二主面２ｂが露出しており、この第二主面２ｂには、端子電極５〜８が配置されない。したがって、積層コンデンサアレイＣ１の、素体２の高さ方向での長さが増加することはない。これらの結果、積層コンデンサアレイＣ１の小型化及び低背化を容易に図ることができる。
【００５５】
積層コンデンサアレイＣ１は、図６に示されるように、基板３１に埋め込まれて実装される。すなわち、積層コンデンサアレイＣ１は、基板３１に内蔵される。図６は、本実施形態に係る積層コンデンサアレイの実装構造を説明するための図である。
【００５６】
基板３１は、複数の絶縁層３３が積層されることにより構成されている。絶縁層３３は、セラミック又は樹脂などの絶縁性材料からなり、接着などにより互いに一体化されている。
【００５７】
積層コンデンサアレイＣ１は、基板３１に形成された収容部３１ａに配置されており、収容部３１ａに充填された樹脂３４により、基板３１に対して固定されている。これにより、積層コンデンサアレイＣ１が、基板３１内に埋め込まれる。積層コンデンサアレイＣ１は、基板３１の表面に配置された電極３５〜３８と、ビア導体４５〜４８を通して、電気的に接続されている。すなわち、第一端子電極５は、ビア導体４５を通して電極３５と電気的に接続され、第二端子電極６は、ビア導体４６を通して電極３６と電気的に接続されている。第三端子電極７は、ビア導体４７を通して電極３７と電気的に接続され、第四端子電極８は、ビア導体４８を通して電極３８と電気的に接続されている。
【００５８】
各電極部分５ａ〜８ａは、上述したように、素体２の幅方向での長さが比較的大きく、各電極部分５ａ〜８ａの面積が大きく設定されている。このため、電極部分５ａ〜８ａとビア導体４５〜４８とを確実に接続することができる。
【００５９】
ビア導体４５〜４８は、基板３１に形成されたビアホール内に導電性金属（たとえば、Ｃｕなど）を無電解めっきなどにより成長させることにより、形成される。ビアホールは、レーザ加工などにより、基板３１の表面側から積層コンデンサアレイＣ１の第一及び第二端子電極５〜８の電極部分５ａ〜８ａに達するように形成される。
【００６０】
積層コンデンサアレイＣ１では、電極部分５ａ〜８ａは、焼付電極層としての第一電極層２１と、めっき層としての第二電極層２３と、を有している。したがって、ビアホールに形成されるビア導体４５〜４８と電極部分５ａ〜８ａとを確実に接続することができる。特に、ビア導体４５〜４８がめっきにより形成される場合、ビア導体４５〜４８と電極部分５ａ〜８ａとが、より一層確実に接続される。
【００６１】
次に、図７を参照して、積層コンデンサアレイＣ１の変形例の構成を説明する。図７は、本変形例に係る積層コンデンサアレイを示す斜視図である。
【００６２】
本変形例では、電極部分５ａ〜８ａは、第一主面２ａにおいて、第三側面２ｅから第四側面２ｆに向かう方向で、電極部分６ａ、電極部分５ａ、電極部分７ａ、電極部分８ａの順で配置されている。すなわち、電極部分６ａが第三側面２ｅ寄りに位置し、電極部分８ａが第四側面２ｆ寄りに位置している。
【００６３】
次に、図８〜図１１を参照して、本実施形態の変形例に係る積層コンデンサアレイＣ２の構成を説明する。図８は、本変形例に係る積層コンデンサアレイを示す斜視図である。図９は、図８におけるIX−IX線に沿った断面構成を説明するための図である。図１０は、第一内部電極群を含む断面構成を説明するための図である。図１１は、第二内部電極群を含む断面構成を説明するための図である。
【００６４】
積層コンデンサアレイＣ２も、図８〜図１１に示されるように、素体２と、第一〜第四端子電極５〜８と、それぞれ複数の第一〜第四内部電極１１，１３，１５，１７と、を備えている。
【００６５】
第一端子電極５は、図１０に示されるように、第一主面２ａに配置される電極部分５ａと、第一側面２ｃに配置される電極部分５ｂと、を有している。電極部分５ａの素体２の長手方向での長さと、電極部分５ｂの素体２の長手方向での長さと、は同等に設定されている。
【００６６】
第二端子電極６は、図１０に示されるように、第二主面２ｂに配置される電極部分６ａと、第二側面２ｄに配置される電極部分６ｂと、を有している。電極部分６ａと電極部分６ｂとは、素体２の稜線部分において接続されており、互いに電気的に接続されている。第二端子電極６は、第二主面２ｂと第二側面２ｄとにわたって形成されている。
【００６７】
電極部分６ａは、第二主面２ｂにおける、第二側面２ｄ寄りの端部側から第一側面２ｃ寄りの端部側に向けて延びるように形成されている。電極部分６ａは、素体２を挟んで、電極部分５ａと対向している。すなわち、電極部分５ａと電極部分６ａとは、素体２の高さ方向から見て、互いに重なる領域を有している。電極部分６ａの素体２の長手方向での長さと、電極部分６ｂの素体２の長手方向での長さと、は同等に設定されている。
【００６８】
第三端子電極７は、図１１に示されるように、第二主面２ｂに配置される電極部分７ａと、第一側面２ｃに配置される電極部分７ｂと、を有している。電極部分７ａと電極部分７ｂとは、素体２の稜線部分において接続されており、互いに電気的に接続されている。第三端子電極７は、第二主面２ｂと第一側面２ｃとにわたって形成されている。電極部分７ａは、第二主面２ｂにおける、第一側面２ｃ寄りの端部側から第二側面２ｄ寄りの端部側に向けて延びるように形成されている。電極部分７ａの素体２の長手方向での長さと、電極部分７ｂの素体２の長手方向での長さと、は同等に設定されている。
【００６９】
第四端子電極８は、図１１に示されるように、第一主面２ａに配置される電極部分８ａと、第二側面２ｄに配置される電極部分８ｂと、を有している。電極部分８ａと電極部分８ｂとは、素体２の稜線部分において接続されており、互いに電気的に接続されている。第四端子電極８は、第一主面２ａと第二側面２ｄとにわたって形成されている。
【００７０】
電極部分８ａは、第一主面２ａにおける、第二側面２ｄ寄りの端部側から第一側面２ｃ寄りの端部側に向けて延びるように形成されている。電極部分８ａは、素体２を挟んで、電極部分７ａと対向している。すなわち、電極部分７ａと電極部分８ａとは、素体２の高さ方向から見て、互いに重なる領域を有している。電極部分８ａの素体２の長手方向での長さと、電極部分８ｂの素体２の長手方向での長さと、は同等に設定されている。
【００７１】
第一端子電極５の電極部分５ａと第四端子電極８の電極部分８ａとは、素体２の長手方向で離間している。第二端子電極６の電極部分６ａと第三端子電極７の電極部分７ａとは、素体２の長手方向で離間している。電極部分５ａと電極部分８ａとは、第一主面２ａ上において、素体２の長手方向で並んで位置している。電極部分５ａが第三側面２ｅ寄りに位置し、電極部分８ａが第四側面２ｆ寄りに位置している。電極部分６ａと電極部分７ａとは、第二主面２ｂ上において、素体２の長手方向で並んで位置している。電極部分６ａが第三側面２ｅ寄りに位置し、電極部分７ａが第四側面２ｆ寄りに位置している。
【００７２】
素体２の第三側面２ｅ及び第四側面２ｆには、端子電極５〜８は配置されていない。このため、素体２の第三側面２ｅ及び第四側面２ｆは、露出している。
【００７３】
以上のように、本変形例では、素体２における、長手方向の長さ及び幅方向の長さに比して高さ方向の長さが小さく設定されており、積層コンデンサアレイＣ２の低背化が図られている。第一端子電極５は、素体２の第一主面２ａに配置された電極部分５ａを有し、第二端子電極６は、素体２の第二主面２ｂに配置された電極部分６ａを有している。第三端子電極７は、素体２の第二主面２ｂに配置された電極部分７ａを有し、第四端子電極８は、素体２の第一主面２ａに配置された電極部分８ａを有している。したがって、積層コンデンサアレイＣ２は、素体２の第一及び第二主面２ａ，２ｂ側において、基板に形成された配線と電気的に接続可能となり、容易に基板へ内蔵することができる。
【００７４】
第一端子電極５と第四端子電極８との、第一主面２ａに配置された電極部分５ａ，８ａは、第一主面２ａにおいて、素体２の長手方向に並んで位置すると共に素体２の幅方向に延びているため、各電極部分５ａ，８ａの面積を大きく設定することができる。このため、積層コンデンサアレイＣ２では、第一主面２ａ側において、基板の配線との接続性が向上する。第二端子電極６と第三端子電極７との、第二主面２ｂに配置された電極部分６ａ，７ａは、第二主面２ｂにおいて、素体２の長手方向に並んで位置すると共に素体２の幅方向に延びているため、各電極部分６ａ，７ａの面積を大きく設定することができる。このため、積層コンデンサアレイＣ２では、第二主面２ｂ側においても、基板の配線との接続性が向上する。
【００７５】
積層コンデンサアレイＣ２では、素体２の第三及び第四側面２ｅ，２ｆが露出しており、これらの第三及び第四側面２ｅ，２ｆには、端子電極５〜８が配置されない。したがって、積層コンデンサアレイＣ１の、素体２の長手方向での長さが増加することはない。この結果、積層コンデンサアレイＣ１の小型化を容易に図ることができる。
【００７６】
積層コンデンサアレイＣ２は、図１２に示されるように、基板３１に埋め込まれて実装される。すなわち、積層コンデンサアレイＣ２は、基板３１に内蔵される。図１２は、本実施形態の変形例に係る積層コンデンサアレイの実装構造を説明するための図である。
【００７７】
積層コンデンサアレイＣ２は、基板３１に形成された収容部３１ａに配置されており、収容部３１ａに充填された樹脂３４により、基板３１に対して固定されている。これにより、積層コンデンサアレイＣ２が、基板３１内に埋め込まれる。積層コンデンサアレイＣ２は、基板３１の表面に配置された電極３５〜３８と、ビア導体４５〜４８を通して、電気的に接続されている。
【００７８】
第一端子電極５は、ビア導体４５を通して電極３５と電気的に接続され、第二端子電極６は、ビア導体４６を通して電極３７と電気的に接続されている。第三端子電極７は、ビア導体４７を通して電極３７と電気的に接続され、第四端子電極８は、ビア導体４８を通して電極３８と電気的に接続されている。第一端子電極５の電極部分５ａは、ビア導体４５と接続されている。第二端子電極６の電極部分６ａは、ビア導体４６と接続されている。第三端子電極７の電極部分７ａは、ビア導体４７と接続されている。第四端子電極８の電極部分８ａは、ビア導体４８と接続されている。
【００７９】
各電極部分５ａ〜８ａは、上述したように、その面積が極めて大きく設定されている。したがって、電極部分５ａ〜８ａとビア導体４５〜４８とを確実に接続することができる。
【００８０】
次に、図１３〜図１５を参照して、積層コンデンサアレイＣ２の変形例の構成を説明する。図１３は、本変形例に係る積層コンデンサアレイを示す斜視図である。図１４は、図１３におけるXIV−XIV線に沿った断面構成を説明するための図である。図１５は、第二内部電極群を含む断面構成を説明するための図である。第一内部電極群１０の断面構成は、図１０に示された断面構成と同様であり、図示を省略する。
【００８１】
本変形例では、第三端子電極７は、図１３〜図１５に示されるように、第一主面２ａに配置される電極部分７ａと、第一側面２ｃに配置される電極部分７ｂと、を有している。第四端子電極８は、第二主面２ｂに配置される電極部分８ａと、第二側面２ｄに配置される電極部分８ｂと、を有している。
【００８２】
第一端子電極５の電極部分５ａと第三端子電極７の電極部分７ａとは、素体２の長手方向で離間している。第二端子電極６の電極部分６ａと第四端子電極８の電極部分８ａとは、素体２の長手方向で離間している。電極部分５ａと電極部分７ａとは、第一主面２ａ上において、素体２の長手方向で並んで位置している。電極部分５ａが第三側面２ｅ寄りに位置し、電極部分７ａが第四側面２ｆ寄りに位置している。電極部分６ａと電極部分８ａとは、第二主面２ｂ上において、素体２の長手方向で並んで位置している。電極部分６ａが第三側面２ｅ寄りに位置し、電極部分８ａが第四側面２ｆ寄りに位置している。
【００８３】
次に、図１６及び図１７を参照して、本実施形態の変形例に係る積層コンデンサアレイＣ３の構成を説明する。図１６は、本変形例に係る積層コンデンサアレイを示す斜視図である。図１７は、図１６におけるXVII−XVII線に沿った断面構成を説明するための図である。
【００８４】
積層コンデンサアレイＣ３は、図１６及び図１７に示されるように、素体２と、それぞれ複数の第一〜第四端子電極５〜８と、それぞれ複数の第一及び第二内部電極群１０，１４と、を備えている。本変形例では、積層コンデンサアレイＣ３は、それぞれ２つの第一及び第二内部電極群１０，１４と、を備えている。
【００８５】
各内部電極群１０，１４は、素体２内で、素体２の長手方向に並置されている。具体的には、第一及び第二内部電極群１０，１４は、第三側面２ｅから第四側面２ｆに向かう方向で、第一内部電極群１０、第二内部電極群１４、第一内部電極群１０、第二内部電極群１４の順で配置されている。各第一内部電極群１０は、図１８の（ａ）及び（ｂ）にも示されるように、複数の第一内部電極１１と複数の第二内部電極１３とを含んでいる。各第二内部電極群１４は、複数の第三内部電極１５と複数の第四内部電極１７とを含んでいる。各内部電極群１０，１４の断面構成は、図１０及び図１１に示された断面構成と同様であり、図示を省略する。
【００８６】
第一及び第二端子電極５，６（電極部分５ａ，５ｂ，６ａ，６ｂ）は、各第一内部電極群１０に対応して、素体２に配置されている。第三及び第四端子電極７，８（電極部分７ａ，７ｂ，８ａ，８ｂ）は、各第二内部電極群１４に対応して、素体２に配置されている。電極部分５ａ，８ａは、第一主面２ａにおいて、第三側面２ｅから第四側面２ｆに向かう方向で、電極部分５ａ、電極部分８ａ、電極部分５ａ、電極部分８ａの順で配置されている。すなわち、本変形例でも、電極部分５ａ，８ａは、第一主面２ａ上において、素体２の長手方向で並んで位置している。電極部分６ａ，７ａは、第二主面２ｂにおいて、第三側面２ｅから第四側面２ｆに向かう方向で、電極部分６ａ、電極部分７ａ、電極部分６ａ、電極部分７ａの順で配置されている。すなわち、本変形例でも、電極部分６ａ，７ａは、第二主面２ｂ上において、素体２の長手方向で並んで位置している。
【００８７】
以上のように、本変形例では、低背化が図られ且つ容易に基板へ内蔵することが可能な、４つの容量成分が形成された積層コンデンサアレイＣ３を実現できる。
【００８８】
次に、図１９及び図２０を参照して、積層コンデンサアレイＣ３の変形例の構成を説明する。図１９は、本変形例に係る積層コンデンサアレイを示す斜視図である。図２０は、図１９におけるXX−XX線に沿った断面構成を説明するための図である。
【００８９】
本変形例においても、積層コンデンサアレイＣ３は、図１９及び図２０に示されるように、素体２と、それぞれ複数の第一〜第四端子電極５〜８と、それぞれ複数の第一及び第二内部電極群１０，１４と、を備えている。各内部電極群１０，１４の断面構成は、図１０及び図１５に示された断面構成と同様であり、図示を省略する。
【００９０】
電極部分５ａ，７ａは、第一主面２ａにおいて、第三側面２ｅから第四側面２ｆに向かう方向で、電極部分５ａ、電極部分７ａ、電極部分５ａ、電極部分７ａの順で配置されている。すなわち、本変形例でも、電極部分５ａ，７ａは、第一主面２ａ上において、素体２の長手方向で並んで位置している。電極部分６ａ，８ａは、第二主面２ｂにおいて、第三側面２ｅから第四側面２ｆに向かう方向で、電極部分６ａ、電極部分８ａ、電極部分６ａ、電極部分８ａの順で配置されている。すなわち、本変形例でも、電極部分６ａ，８ａは、第二主面２ｂ上において、素体２の長手方向で並んで位置している。
【００９１】
以上のように、本変形例においても、低背化が図られ且つ容易に基板へ内蔵することが可能な、４つの容量成分が形成された積層コンデンサアレイＣ３を実現できる。
【００９２】
以上、本発明の好適な実施形態について説明してきたが、本発明は必ずしも上述した実施形態に限定されるものではなく、その要旨を逸脱しない範囲で様々な変更が可能である。
【００９３】
第一〜第四内部電極１１，１３，１５，１７の形状は、上述した実施形態及び変形例における形状に限られない。たとえば、引出部１１ｂ，１３ｂ，１５ｂ，１７ｂの、素体２の長手方向での長さと、主電極部１１ａ，１３ａ，１５ａ，１７ａの、素体２の長手方向での長さと、が同等に設定されていてもよい。
【００９４】
図２１及び図２２に示されるように、第一内部電極１１は第三内部電極１５とは、素体２の高さ方向において異なる位置（層）に配置され、第二内部電極１３と第四内部電極１７とは、素体２の高さ方向において異なる位置（層）に配置されていてもよい。これらの場合でも、第一内部電極１１と第三内部電極１５とは、素体２の高さ方向で互いに対向しておらず、第二内部電極１３と第四内部電極１７とは、素体２の高さ方向で互いに対向していない。
【００９５】
図２３に示されるように、第一及び第四端子電極５，８は、電極部分５ａ，８ａが配置された主面２ａに対向する主面２ｂに配置された電極部分５ｃ，８ｃを更に有していてもよく、第二及び第三端子電極６，７は、電極部分６ａ，７ａが配置された主面２ｂに対向する主面２ａに配置された電極部分６ｃ，７ｃを更に有していてもよい。電極部分５ｃ〜８ｃと電極部分５ｂ〜８ｂとは、素体２の稜線部分において接続されており、互いに電気的に接続されている。第一〜第四端子電極５〜８それぞれは、一対の主面２ａ，２ｂと一対の主面２ａ，２ｂを連結するように延びる一つの側面（第一又は第二側面２ｃ，２ｄ）とにわたって形成されている。第一〜第四端子電極５〜８それぞれにおいて、各電極部分５ａ〜８ａ，５ｂ〜８ｂ，５ｃ〜８ｃは、一体的に形成されている。第一〜第四端子電極５〜８が、電極部分５ｃ〜８ｃを更に有することにより、第一〜第四端子電極５〜８と素体２との接続強度が向上する。
【００９６】
第一及び第二内部電極群１０，１４の数は、上述した数に限られることなく、３つ以上であってもよい。第一内部電極群１０の数と第二内部電極群１４の数とが、異なっていてもよい。また、第一及び第二内部電極群１０，１４のうち少なくともいずれか一方の数が複数であってもよい。たとえば、第一及び第二内部電極群１０，１４のうち一方の内部電極群の数が２つであり、他方の内部電極群の数が１つであってもよい。この場合、３つの容量成分が形成された積層コンデンサアレイが実現される。
【００９７】
図６及び図１２では、積層コンデンサアレイＣ１，Ｃ２が基板３１に埋め込まれて実装されているが、積層コンデンサアレイＣ３が基板３１に埋め込まれて実装されていてもよい。
【符号の説明】
【００９８】
２…素体、２ａ…第一主面、２ｂ…第二主面、２ｃ…第一側面、２ｄ…第二側面、２ｅ…第三側面、２ｆ…第四側面、５…第一端子電極、５ａ，５ｂ…電極部分、６…第二端子電極、６ａ，６ｂ…電極部分、７…第三端子電極、７ａ，７ｂ…電極部分、８…第四端子電極、８ａ，８ｂ…電極部分、９…誘電体層、１０…第一内部電極群、１１…第一内部電極、１１ａ…主電極部、１１ｂ…引出部、１３…第二内部電極、１３ａ…主電極部、１３ｂ…引出部、１４…第二内部電極群、１５…第三内部電極、１５ａ…主電極部、１５ｂ…引出部、１７…第四内部電極、１７ａ…主電極部、１７ｂ…引出部、Ｃ１，Ｃ２，Ｃ３…積層コンデンサアレイ。
【図１】
2014207407.tif 000003
【図２】
2014207407.tif 000004
【図３】
2014207407.tif 000005
【図４】
2014207407.tif 000006
【図５】
2014207407.tif 000007
【図６】
2014207407.tif 000008
【図７】
2014207407.tif 000009
【図８】
2014207407.tif 000010
【図９】
2014207407.tif 000011
【図１０】
2014207407.tif 000012
【図１１】
2014207407.tif 000013
【図１２】
2014207407.tif 000014
【図１３】
2014207407.tif 000015
【図１４】
2014207407.tif 000016
【図１５】
2014207407.tif 000017
【図１６】
2014207407.tif 000018
【図１７】
2014207407.tif 000019
【図１８】
2014207407.tif 000020
【図１９】
2014207407.tif 000021
【図２０】
2014207407.tif 000022
【図２１】
2014207407.tif 000023
【図２２】
2014207407.tif 000024
【図２３】
2014207407.tif 000025